【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
クリニカルパスから診療項目を選択する選択手段と、
前記選択された診療項目に関連する各表示項目に対して優先度を付与する付与手段と、
前記付与された優先度に従って、表示媒体に表示させる前記表示項目を設定する設定手段と
を有することを特徴とする医用情報処理装置。
【請求項２】
前記表示項目である診断結果候補が過去に診断結果として選択された回数を、前記診断結果候補毎に集計する集計手段を更に有し、
前記付与手段は、前記集計手段により前記診断結果候補毎に集計された回数に基づいて、各診断結果候補に対して優先度を付与することを特徴とする請求項１に記載の医用情報処理装置。
【請求項３】
前記クリニカルパスに対応する患者と過去の診断結果において類似性を持つ他の患者を特定する特定手段を更に有し、
前記集計手段は、前記特定手段により特定された前記他の患者に対する診断結果として前記診断結果候補が選択された回数を、前記診断結果候補毎に集計することを特徴とする請求項２に記載の医用情報処理装置。
【請求項４】
前記選択手段により選択された前記診療項目と前記表示項目である前記クリニカルパスの他の診療項目との相関を、前記他の診療項目毎に算出する相関算出手段を更に有し、
前記付与手段は、前記相関算出手段により前記他の診療項目毎に算出された相関に基づいて、前記他の各診療項目に対して優先度を付与することを特徴とする請求項１に記載の医用情報処理装置。
【請求項５】
表示媒体において表示可能な情報量を算出する情報量算出手段を更に有し、
前記設定手段は、前記情報量算出手段により算出された前記情報量内に収まるように、前記優先度に従って、前記表示媒体に表示させる前記表示項目を設定することを特徴とする請求項１乃至４何れか１項に記載の医用情報処理装置。
【請求項６】
複数の診断結果の候補に優先度を付与する付与手段と、
前記付与された優先度に従って、表示媒体に表示させる診断結果の候補を前記複数の診断結果の候補の中から選択する第１の選択手段と
を有することを特徴とする医用情報処理装置。
【請求項７】
前記付与手段は、前記診断結果の候補が過去に診断結果として選択された回数に基づいて、前記優先度を付与することを特徴とする請求項６に記載の医用情報処理装置。
【請求項８】
前記複数の診断結果の候補それぞれに対応する対象患者と類似する患者を特定する特定手段をさらに有し、
前記付与手段は、前記類似する患者の診断結果の候補が過去に選択された回数に基づいて、前記類似する患者の診断結果の候補に対応する、前記対象患者の前記診断結果の候補に優先度を付与することを特徴とする請求項６に記載の医用情報処理装置。
【請求項９】
前記特定手段は、対象患者の診断結果の候補と、対象患者以外の他の患者の診断結果の候補との合致数に基づいて、前記類似する患者を特定することを特徴とする請求項８に記載の医用情報処理装置。
【請求項１０】
ユーザ操作に応じて入力されたクリニカルパスの利用目的が記録用及び閲覧用の何れであるかを選択する第２の選択手段をさらに有し、
前記第２の選択手段により前記記録用が選択された場合に、前記付与手段は、複数の診断結果の候補に優先度を付与し、前記第１の選択手段は、前記表示媒体に表示させる診断結果の候補を選択することを特徴とする請求項６乃至９何れか１項に記載の医用情報処理装置。
【請求項１１】
前記付与手段は、ユーザ操作に応じて選択された診療項目に対応する複数の診断結果の候補に優先度を付与することを特徴とする請求項６乃至１０何れか１項に記載の医用情報処理装置。
【請求項１２】
前記表示媒体における表示可能な文字数を算出する算出手段をさらに有し、
前記第１の選択手段は、前記算出された文字数に基づいて、前記表示媒体に表示させる診断結果の候補を選択することを特徴とする請求項６乃至１１何れか１項に記載の医用情報処理装置。
【請求項１３】
複数の診療項目の優先度を付与する付与手段と、
前記付与された優先度に従って、表示媒体に表示させる診療項目を前記複数の診療項目の中から選択する第１の選択手段と
を有することを特徴とする医用情報処理装置。
【請求項１４】
前記付与手段は、付与対象の診療項目の、ユーザ操作に応じて選択された選択診療項目との相関に基づいて、前記付与対象の診療項目に優先度を付与することを特徴とする請求項１３に記載の医用情報処理装置。
【請求項１５】
診療項目間の相関を定めた相関データベースを参照し、前記付与対象の診療項目の、前記選択診療項目との相関を算出する算出手段をさらに有し、
前記付与手段は、前記算出手段により算出された相関に基づいて、前記付与対象の診療項目に優先度を付与することを特徴とする請求項１４に記載の医用情報処理装置。
【請求項１６】
ユーザ操作に応じて入力されたクリニカルパスの利用目的が記録用及び閲覧用の何れであるかを選択する第２の選択手段をさらに有し、
前記第２の選択手段により前記閲覧用が選択された場合に、前記付与手段は、前記複数の診療項目に優先度を付与し、前記第１の選択手段は、前記表示媒体に表示させる診療項目を選択することを特徴とする請求項１３乃至１５何れか１項に記載の医用情報処理装置。
【請求項１７】
前記付与手段は、ユーザ操作に応じて選択された診療項目と同一のクリニカルパスの複数の診療項目に優先度を付与することを特徴とする請求項１３乃至１６何れか１項に記載の医用情報処理装置。
【請求項１８】
前記表示媒体における表示可能な文字数を算出する算出手段をさらに有し、
前記第１の選択手段は、前記算出された文字数に基づいて、前記表示媒体に表示させる診療項目を選択することを特徴とする請求項１３乃至１７何れか１項に記載の医用情報処理装置。
【請求項１９】
医用情報処理装置によって実行される医用情報処理方法であって、
クリニカルパスから診療項目を選択する選択ステップと、
前記選択された診療項目に関連する各表示項目に対して優先度を付与する付与ステップと、
前記付与された優先度に従って、表示媒体に表示させる前記表示項目を設定する設定ステップと
を含むことを特徴とする医用情報処理方法。
【請求項２０】
医用情報処理装置が実行する医用情報処理方法であって、
複数の診断結果の候補に優先度を付与する付与ステップと、
前記付与された優先度に従って、表示媒体に表示させる診断結果の候補を前記複数の診断結果の候補の中から選択する第１の選択ステップと
を含むことを特徴とする医用情報処理方法。
【請求項２１】
医用情報処理装置が実行する医用情報処理方法であって、
複数の診療項目の優先度を付与する付与ステップと、
前記付与された優先度に従って、表示媒体に表示させる診療項目を前記複数の診療項目の中から選択する第１の選択ステップと
を有することを特徴とする医用情報処理方法。
【請求項２２】
コンピュータに、請求項１９乃至２１何れか１項に記載の医用情報処理方法の各ステップを実行させるためのプログラム。
【手続補正２】
【補正対象書類名】明細書
【補正対象項目名】００１１
【補正方法】変更
【補正の内容】
【００１１】
本発明の医用情報処理装置は、クリニカルパスから診療項目を選択する選択手段と、前記選択された診療項目に関連する各表示項目に対して優先度を付与する付与手段と、前記付与された優先度に従って、表示媒体に表示させる前記表示項目を設定する設定手段とを有することを特徴とする。